(57)【特許請求の範囲】
【請求項１】
防水パンの洗い場面と略面一状にドア枠を建付け、該ドア枠の溝で集水できるように構成してなる浴室の出入口構造において、前記ドア枠の下方の防水パンのドア枠設置面に下方より排水金具を取り付け、前記ドア枠の溝から流下する水を該排水金具を通し排水するように構成したことを特徴とする浴室の出入口構造。
【請求項２】
前記排水金具の上面側には長穴状または連穴状の排水口が設けられ、該排水口に対応した開口が前記防水パンに形成されていることを特徴とする請求項１に記載の浴室の出入口構造。
【発明の詳細な説明】
【０００１】
【産業上の利用分野】
この発明は、浴室の出入口構造に関するものである。
【０００２】
【従来の技術及びその課題】
従来、浴室の出入口の床面段差を小さくするために洗い場面と略面一状にドア枠を建付けた構成の浴室においては、洗い場面側からドア枠側へ流れ出る湯水を排水するために大径の排水口が必要となり、例えば特開平１０−２０５２３７号公報に開示されているように、浴室の底面を構成する防水パンの外側に別途排水溝を形成させるとか、また逆に、内側に向かって排水溝を形成させたりしており、別途排水用の溝を外側へ出っ張らせる等して設ける必要があった。
【０００３】
【課題を解決するための手段】
本発明は上記従来の問題点に鑑み案出したものであって、別途排水用の溝を設けることなく、ドア枠の溝を利用して良好な排水能力が確保できる浴室の出入口構造を提供せんことを目的とし、その第１の要旨は、防水パンの洗い場面と略面一状にドア枠を建付け、該ドア枠の溝で集水できるように構成してなる浴室の出入口構造において、前記ドア枠の下方の防水パンのドア枠設置面に下方より排水金具を取り付け、前記ドア枠の溝から流下する水を該排水金具を通し排水するように構成したことである。
また、第２の要旨は、前記排水金具の上面側には長穴状または連穴状の排水口が設けられ、該排水口に対応した開口が前記防水パンに形成されていることである。
【０００４】
【実施例】
以下、本発明の実施例を図面に基づいて説明する。
図１は、浴室の概略断面構成図であり、図において、浴室の底面は浴槽側防水パン１と洗い場側防水パン４が連結されて構成されており、浴槽側防水パン１の浴槽設置面１ａ上には浴槽３が設置され、浴槽設置面１ａの底側には、浴槽からの排水を排水するための排水トラップ２が設けられたものとなっており、浴槽設置面１ａの右端側は上方へ立ち上がった立上壁部１ｂとなって、この立上壁部１ｂの上端に連結部１ｃが形成され、この連結部１ｃと洗い場側防水パン４の連結部４ｂが連結されて浴室の底面が形成されるものであり、洗い場側防水パン４の洗い場面４ａの出入口側には、洗い場面４ａと略面一状にドア枠５が建付けられており、このドア枠５のレール溝５ａを利用して、前記洗い場面４ａ側からドア枠５側へ流出する湯水をこのレール溝５ａで溜めて、レール溝５ａから下方へ流下させることができるように構成されており、このドア枠５が建付けられる洗い場側防水パン４には図３の拡大図で示すように、洗い場面４ａから垂下状に落とし込み片４ｃが一体形成されており、落とし込み片４ｃの下端で水平状に外側へ延びるドア枠設置面４ｄが一体形成され、さらにドア枠設置面４ｄの外側で立ち上げて水返し片４ｅが一体形成されたものとなっており、ドア枠設置面４ｄ上に前記ドア枠５が建付けられるものであり、このドア枠設置面４ｄには下方側より排水金具６が取り付けられて、この排水金具６に対し配管１０が接続され、配管１０は洗い場面４ａの底側を水平状に前記浴槽側防水パン１側へ向かって延出され、浴槽側防水パン１の立上壁部１ｂに設けた貫通金具１１により貫通して、さらに浴槽設置面１ａ上で延びるフレキシブル配管１２に接続され、フレキシブル配管１２の先端が前記排水トラップ２の上方に配置されたものとなっている。
【０００５】
前記排水金具６をさらに詳しく説明すると、排水金具６は図２の分解図で示すような構造となっており、排水金具６には、前記配管１０を接続するための接続突管部６ａが一体形成されており、また、上面側にはフランジ部６ｂが形成され、このフランジ部６ｂには、フランジ部６ｂを洗い場側防水パン４のドア枠設置面４ｄにビスを介し固定するためのビス孔６ｃが形成され、また、フランジ部６ｂには内周に雌ネジを形成した２個の排水口６ｄ，６ｄが連穴状に開口形成されたものとなっている。このそれぞれの排水口６ｄに対し排水口ネジ管７を螺合させることができ、排水口ネジ管７は、上端にフランジ７ａを有し、外周に雄ネジ部７ｂを有する管状に形成されており、その外周に平パッキン８を嵌め込み、また、防水パンのドア枠設置面４ｄの底側より三角パッキン９を嵌め込んで、ドア枠設置面４ｄに予め前記排水口６ｄ，６ｄと対応する位置に貫通形成されている開口Ｋに排水口ネジ管７を通し、排水口６ｄに排水口ネジ管７を締め付けることにより、図３の断面拡大図で示すように、平パッキン８と三角パッキン９が防水パンのドア枠設置面４ｄの上面及び下面に当接して、ドア枠設置面４ｄに貫通形成されている開口Ｋを水密状に塞ぐことができ、水漏れを確実に塞ぐことができるものとなる。
【０００６】
このように防水パンのドア枠５の載置されるドア枠載置面４ｄの下方側に排水金具６を取り付けて、ドア枠５のレール溝５ａで集水した水をレール溝５ａから流下させて、前記排水口ネジ管７を通し排水金具６内に溜めて、配管１０を通しフレキシブル配管１２から、浴槽設置面１ａに設けられている排水トラップ２の上方で排水させ、排水トラップ２を通し外部へ良好に排水することができるものとなる。そのため、ドア枠５のレール溝５ａを集水用の樋代わりに利用でき、排水金具６には２個の排水口６ｄ，６ｄが連穴状に形成されているため、この２個の排水口を通し十分な排水能力で排水が可能となる。また、この２個の排水口６ｄ，６ｄに対応させて、予め洗い場側防水パン４のドア枠設置面４ｄに開口Ｋを形成させておく必要があるが、２個の開口Ｋのみを形成させておけば良く、この開口Ｋは平パッキン８と三角パッキン９により確実に閉塞して水漏れを確実に防ぐことができるものとなる。このようにドア枠５のレール溝５ａで集水して排水できるため、従来のように外側へ出っ張った排水溝を設ける必要がなく、そのため建物の躯体側との干渉がなく、躯体内への防水パンの設置が容易なものとなる。
【０００７】
次に、図４及び図５は第２実施例を示すものであり、前記図２の排水金具６に代えて図４に分解図で示すような排水金具１６を用いるものであり、図４の排水金具１６は、前記配管１０を接続するための接続突管部１６ａを備えており、また、排水金具１６の上面側には水平状にフランジ部１６ｂが形成され、このフランジ部１６ｂの中央部に長穴状の排水口１６ｄが開口されており、この排水口１６ｄの周囲側のフランジ部１６ｂにはビス１９をネジ込むためのネジ孔１６ｅ，１６ｅ，１６ｅ，１６ｅが４個形成され、また、フランジ部１６ｂの外周側には一段低く凹んで水平溝１６ｃがコの字状に一体形成されたものとなっている。
【０００８】
また、フランジ部１６ｂの端縁には一体状に立ち上げられて嵌合立片１６ｆが形成され、この嵌合立片１６ｆの両端側は一段凹ませて前記水平溝１６ｃと連続状をなす縦溝１６ｇとなっている。
この縦溝１６ｇ及び水平溝１６ｃに嵌合する形状に形成されたスポンジパッキン１７は、前記水平溝１６ｃに嵌め込まれるコの字状のコの字状水平片１７ａと、その両端側で立ち上がり縦溝１６ｇに嵌め込まれる立片１７ｂ，１７ｂで構成されている。
また、前記排水口１６ｄに整合される排水口１８ａを有するパッキン１８は、前記４個のネジ孔１６ｅ，１６ｅ，１６ｅ，１６ｅに整合する位置にビスを通すビス孔１８ｂ，１８ｂ，１８ｂ，１８ｂが形成されており、それぞれビス孔１８ｂにビス１９を通して、前記ネジ孔１６ｅにビス１９をネジ込んでパッキン１８が取り付け可能となっている。
【０００９】
この図４のような排水金具１６は、図５の状態で洗い場側防水パン４に取り付けられるものであり、洗い場側防水パン４には、予め前記排水口１６ｄと整合する位置に整合する大きさの開口Ｋが形成され、また、前記嵌合立片１６ｆが嵌め込まれる寸法の切欠部Ｃが水返し片４ｅに形成されるものであり、開口Ｋに整合させて下面側よりドア枠設置面４ｄの下面にフランジ部１６ｂを当接させ、かつ切欠部Ｃに嵌合立片１６ｆを嵌合させて排水金具１６を配置させ、この状態ではスポンジパッキン１７がフランジ部１６ｂと防水パンのドア枠設置面４ｄの下面間に配置され、かつ水返し片４ｅの外面と嵌合立片１６ｆの縦溝１６ｇ間にスポンジパッキン１７が介装されることとなり、さらにドア枠設置面４ｄの上面側よりパッキン１８が配置されて、それぞれビス１９をフランジ部１６ｂ側へネジ込むことにより、パッキン１８とフランジ部１６ｂでドア枠設置面４ｄを挟み付けた状態で、強固かつ水密状に排水金具１６が洗い場側防水パン４に取り付けられるものとなる。
【００１０】
このようにして排水金具１６をドア枠設置面４ｄに取り付けた後に、ドア枠設置面４ｄ上にドア枠５が洗い場面４ａと略面一状に建付けられるものである。
このような構造においても、ドア枠５のレール溝５ａで集水して下方側へ流下させ、開口Ｋを通し排水金具１６で良好に排水を受けて、配管１０を通し、浴槽側防水パン１の浴槽設置面１ａに設けられた排水トラップ２側に排水することができ、十分な排水能力が確保できるものとなる。
【００１１】
【発明の効果】
本発明は、防水パンの洗い場面と略面一状にドア枠を建付け、該ドア枠の溝で集水できるように構成してなる浴室の出入口構造において、前記ドア枠の下方の防水パンのドア枠設置面に下方より排水金具を取り付け、前記ドア枠の溝から流下する水を該排水金具を通し排水するように構成したことにより、ドア枠の溝を利用して良好に集水して、防水パンに取り付けられた排水金具を通し良好な排水能力を確保して排水することができ、従来のように別の排水溝を設ける必要がなく、そのため防水パンが従来のように外側などへ出っ張ることなく、躯体に干渉することなく良好に設置することができるものとなる。
【００１２】
また、前記排水金具の上面側には長穴状または連穴状の排水口が設けられ、該排水口に対応した開口が前記防水パンに形成されていることにより、排水金具を取り付けるために防水パンには長穴状または連穴状の排水口を開口させるのみで良く、大きな切欠を形成させる必要がないため水密性を確保しやすく、水漏れを良好に防ぐことができるものとなる。
【図面の簡単な説明】
【図１】防水パンの洗い場面に面一状にドア枠を取り付けた状態の概略断面構成図である。
【図２】第１実施例の排水金具の分解図である。
【図３】図２の排水金具の取付状態を示す要部拡大断面図である。
【図４】第２実施例の排水金具の分解図である。
【図５】図４の排水金具を防水パンに取り付けた状態の斜視構成図である。
【符号の説明】
１  浴槽側防水パン
１ａ  浴槽設置面
１ｂ  立上壁部
２  排水トラップ
３  浴槽
４  洗い場側防水パン
４ａ  洗い場面
４ｃ  落とし込み片
４ｄ  ドア枠設置面
４ｅ  水返し片
５  ドア枠
５ａ  レール溝
６  排水金具
６ａ  接続突管部
６ｂ  フランジ部
６ｄ  排水口
７  排水口ネジ管
７ａ  フランジ
７ｂ  雄ネジ部
８  平パッキン
９  三角パッキン
１０  配管
１１  貫通金具
１２  フレキシブル配管
１６  排水金具
１６ａ  接続突管部
１６ｂ  フランジ部
１６ｃ  水平溝
１６ｄ  排水口
１６ｅ  ネジ孔
１６ｆ  嵌合立片
１６ｇ  縦溝
１７  スポンジパッキン
１８  パッキン
１９  ビス
Ｋ  開口
Ｃ  切欠部
【図１】
0003613625.tif 000002
【図２】
0003613625.tif 000003
【図３】
0003613625.tif 000004
【図４】
0003613625.tif 000005
【図５】
0003613625.tif 000006